(57)【要約】【課題】高圧側着脱接触可動部の接続、切離しを行う際、高圧側着脱接触可動部等の絶縁破壊を防止し、操作員の労力軽減と相俟って危険性を防止するガス絶縁計器用変圧器を提供する。【解決手段】本発明に係るガス絶縁計器用変圧器は、容器１内に収容する電圧変成部２の高圧端子６と容器１の開口部に設けた絶縁スペーサ３に取り付けた接続導体７との間に高圧側着脱接触可動部１０を備えるとともに、この高圧側着脱接触可動部１０の接続、切離しを操作する操作装置を備えたガス絶縁計器用変圧器において、操作装置１３を収容する操作箱１４に操作箱扉１６を開閉制御する開閉制御部１８を備えた。【選択図】  図１
2004273856.tif 000002
【特許請求の範囲】
【請求項１】
容器内に収容する電圧変成部の高圧端子と前記容器の開口部に設けた絶縁スペーサに取り付けた接続導体との間に高圧側着脱接触可動部を備えるとともに、この高圧側着脱接触可動部の接続、切離しを操作する操作装置を備えたガス絶縁計器用変圧器において、前記操作装置を収容する操作箱に操作箱扉を開閉制御する開閉制御部を備えたことを特徴とするガス絶縁計器用変圧器。
【請求項２】
開閉制御部は、ガス絶縁開閉装置の通電または無電状態を確認してから操作箱扉の錠を開放させ、操作装置を駆動させる構成にしたことを特徴とする請求項１記載のガス絶縁計器用変圧器。
【請求項３】
開閉制御部は、ガス絶縁計器用変圧器の同一母線区分内の断路器および接地装置のそれぞれの「入り」、「切り」の状態を検出した後、操作箱扉の錠を開放させ、操作装置を駆動させる構成にしたことを特徴とする請求項１記載のガス絶縁計器用変圧器。
【請求項４】
請求項１記載のガス絶縁計器用変圧器に二次電圧検出部を備え、計測した二次電圧が予め定められた電圧を超えたとき、操作装置を収容する操作箱の操作箱扉を開放させる構成にしたことを特徴とするガス絶縁計器用変圧器。
【請求項５】
容器内に収容する電圧変成部の高圧端子と前記容器の開口部に設けた絶縁スペーサに取り付けた接続導体との間に高圧側着脱接触可動部を備えるとともに、この高圧側着脱接触可動部の接続、切離しを操作する操作装置を備えたガス絶縁計器用変圧器において、前記操作装置にストッパを設けるとともに、ストッパが高圧側着脱接触可動部接続受信信号端子および高圧側着脱接触可動部切離し受信端子のうち、いずれかがＯＮしているとき、接地装置に「切り」操作指令を出し、断路器に「入り」操作指令を出し、前記ストッパが前記各端子の中間位置にあるとき、前記接地装置に「切り」、前記断路器に「入り」の操作指令を出さない操作指令部を備えたことを特徴とするガス絶縁計器用変圧器。
【発明の詳細な説明】
【０００１】
【発明の属する技術分野】
本発明は、ガス絶縁開閉装置の高圧回路に対し、接続、切離しが容易なガス絶縁計器用変圧器の改良に関する。
【０００２】
【従来の技術】
従来、ガス絶縁計器用変圧器は、ガス絶縁開閉装置に設けられ、高電圧回路の電圧を検出するために使用されているが、ガス絶縁開閉装置に直流または交流を通電する課電試験を行う場合、高電圧回路から切り離すことができる構成になっている。
【０００３】
また、最近のガス絶縁計器用変圧器では、高電圧回路との接続、切離し機構の開発が進歩し、ガス絶縁開閉装置に取り付けたままの状態であっても、ガス絶縁開閉装置の交流耐電圧試験やケーブルの直流耐電圧試験等を行うことができるようになっており、その構成として図４に示すものがある。なお、図４は、三相形ガス絶縁計器用変圧器を一例として示している。
【０００４】
三相形ガス絶縁計器用変圧器は、絶縁ガスａを充填し、三相分の電圧変成部２を収容する筒状の容器１と、この筒状の容器１の頂部開口部側に設けた三相用の絶縁スペーサ３とを備えている。
【０００５】
また、三相形ガス絶縁計器用変圧器は、筒状の容器１に設けた三相用の絶縁スペーサ３の気密性を維持させつつ貫通する高圧導体４を設けるとともに、高圧導体４の一端部に接続導体７を備えている。なお、高圧導体４の他端部は、ガス絶縁開閉装置の高圧線路（図示せず）に接続している。
【０００６】
一方、電圧変成部２は、高圧導体４の接続導体７と接続、切離しが容易な高圧側着脱接触可動部１０を備えている。
【０００７】
この高圧側着脱接触可動部１０は、電圧変成部２から絶縁スペーサ３側に向って延びる高電圧側端部５と、この高電圧側端部５の先端に設けられ、進退自在に摺動する高圧端子６とを備え、高圧端子６を高圧導体４の接続導体７に対し、接続、切離しを容易にしている。
【０００８】
また、三相形ガス絶縁計器用変圧器は、筒状の容器１の頂部側に設けた絶縁スペーサ３と反対側の位置に操作装置８を備えている。
【０００９】
この操作装置８は、Ｔ字状に形成する絶縁棒９と、Ｔ字状の両先端部に設けた高圧端子６とを備えて構成されている。
【００１０】
このような構成を備えた三相形ガス絶縁計器用変圧器は、特開２００２−８４６１０号公報（例えば、特許文献１参照）に見られるように、操作装置８の駆動力で絶縁棒９を進退させ、この進退力に伴って高圧端子６が追従するから、高圧端子６と高圧導体４の接続導体７との間で接続、切離しを自在に行うことができる。
【００１１】
したがって、従来の三相形ガス絶縁計器用変圧器では、課電試験時、高圧端子６が高圧導体４の接続導体７から確実に切り離されているので、電圧変成部２に電流が通電されることもなく、充分に安全なテストを行うことができる。
【００１２】
【特許文献１】
特開２００２−８４６１０号公報
【００１３】
【発明が解決しようとする課題】
ところで、従来の三相形ガス絶縁計器用変圧器は、課電試験時、電圧変成部２に電流が通電されていないので、充分に安全なテストを行うことができるものの、それでも幾つかの問題点があり、その一つに絶縁耐力不足がある。
【００１４】
従来、３相形ガス絶縁計器用変圧器は、高圧側着脱接触可動部１０が無電状態での切離しが行われることを想定し設計しているため、通電状態から急に電圧変成部２の切離しを行うと、電圧変成部２等に絶縁耐力不足が生じ、絶縁破壊を起こすことがあった。
【００１５】
このため、三相形ガス絶縁計器用変圧器は、操作装置８を駆動する場合、高圧側着脱接触可動部１０やガス絶縁開閉装置の主回路等が無電状態であったかの有無を確認する一方、高圧側着脱接触可動部１０を接続、切離しを行う場合、ガス絶縁開閉装置への通電の有無を確認しなければならず、操作員により多くの労力と通電を伴う危険性とを強いていた。
【００１６】
本発明は、このような事情に基づいてなされたもので、高圧側着脱接触可動部の接続、切離しを行う際、高圧側着脱接触可動部等の絶縁破壊を防止させるとともに、操作員の労力軽減と相俟って危険性を防止するガス絶縁計器用変圧器を提供することを目的とする。
【００１７】
【課題を解決するための手段】
本発明に係るガス絶縁計器用変圧器は、上述の目的を達成するために、請求項１に記載したように、容器内に収容する電圧変成部の高圧端子と前記容器の開口部に設けた絶縁スペーサに取り付けた接続導体との間に高圧側着脱接触可動部を備えるとともに、この高圧側着脱接触可動部の接続、切離しを操作する操作装置を備えたガス絶縁計器用変圧器において、前記操作装置を収容する操作箱に操作箱扉を開閉制御する開閉制御部を備えたものである。
【００１８】
また、本発明に係るガス絶縁計器用変圧器は、上述の目的を達成するために、請求項２に記載したように、開閉制御部は、ガス絶縁開閉装置の通電または無電状態を確認してから操作箱扉の錠を開放させ、操作装置を駆動させる構成にしたものである。
【００１９】
また、本発明に係るガス絶縁計器用変圧器は、上述の目的を達成するために、請求項３に記載したように、開閉制御部は、ガス絶縁計器用変圧器の同一母線区分内の断路器および接地装置のそれぞれの「入り」、「切り」の状態を検出した後、操作箱扉の錠を開放させ、操作装置を駆動させる構成にしたものである。
【００２０】
また、本発明に係るガス絶縁計器用変圧器は、上述の目的を達成するために、請求項４に記載したように、請求項１記載のガス絶縁計器用変圧器に二次電圧検出部を備え、計測した二次電圧が予め定められた電圧を超えたとき、操作装置を収容する操作箱の操作箱扉を開放させる構成にしたものである。
【００２１】
また、本発明に係るガス絶縁計器用変圧器は、上述の目的を達成するために、請求項５に記載したように、容器内に収容する電圧変成部の高圧端子と前記容器の開口部に設けた絶縁スペーサに取り付けた接続導体との間に高圧側着脱接触可動部を備えるとともに、この高圧側着脱接触可動部の接続、切離しを操作する操作装置を備えたガス絶縁計器用変圧器において、前記操作装置にストッパを設けるとともに、ストッパが高圧側着脱接触可動部接続受信信号端子および高圧側着脱接触可動部切離し受信端子のうち、いずれかがＯＮしているとき、接地装置に「切り」操作指令を出し、断路器に「入り」操作指令を出し、前記ストッパが前記各端子の中間位置にあるとき、前記接地装置に「切り」、前記断路器に「入り」の操作指令を出さない操作指令部を備えたものである。
【００２２】
【発明の実施の形態】
以下、本発明に係るガス絶縁計器用変圧器の実施形態を図面および図面に付した符号を引用して説明する。
【００２３】
図１は、本発明に係るガス絶縁計器用変圧器の第１実施形態を示す概念図である。なお、本実施形態に係るガス絶縁計器用変圧器は、例示として三相形を適用対象としているが、これに限らず、単相または二相形でも適用される。
【００２４】
図１には、本実施形態に係る三相形ガス絶縁計器用変圧器において、絶縁ガスを充填し、三相分の電圧変成部と高圧側着脱接触可動部（ともに図示せず）とを収容する筒状の容器１１が示されている。
【００２５】
この筒状の容器１１は、一側または頂部に高圧側着脱接触可動部（図示せず）に接続する絶縁スペーサ１２を備えるとともに、その反対側の他側または底部に電圧変成部（図示せず）に接続する操作装置１３を収容する操作箱１４を備えている。
【００２６】
操作箱１４は、蝶番１５を介して開閉する操作箱扉１６と、この操作箱扉１６に設けた錠１７とを備えている。
【００２７】
また、操作箱１４は、通常時、錠１７を「閉」にロックし、操作員等からの指令に基づいて錠１７を「開」にして操作箱扉１６を開放させる開閉制御部１８を備えている。
【００２８】
このように、本実施形態は、高圧側着脱接触可動部の接触、切離しの操作を行う操作装置１３を収容する操作箱１４の操作箱扉１６に、操作員等からの指令信号に基づいて錠１７を開放する開閉制御部１８を設け、ガス絶縁開閉装置が通電または無電状態の有無を確認してから開閉制御部１８に操作員等からの指令を受信させ、錠１７を「開」にし、操作装置１３を駆動させ、高圧側着脱接触可動部を切り離して課電試験を行う構成にしたので、急激な操作によって発生する衝撃に基づく高圧側着脱接触可動部等の絶縁破壊を防止することができ、操作員の操作に伴う危険を防止することができる。
【００２９】
図２は、本発明に係るガス絶縁計器用変圧器をガス絶縁開閉装置に組み込んだ第２実施形態を示す概念図である。
【００３０】
本実施形態に係るガス絶縁開閉装置は、遮断器１９、変流器２０、断路器２１、接地装置２２、ガス絶縁計器用変圧器２３を備えた構成になっている。
【００３１】
また、本実施形態に係るガス絶縁開閉装置は、ガス絶縁計器用変圧器２３に第１実施形態と同様に、開閉制御部１８を設け、ガス絶縁計器用変圧器２３と同一母線区分の断路器２１および接地装置２２の「入り」、「切り」の状態を開閉制御部１８で検出した後、操作装置を収容する操作箱の操作箱扉を開閉制御する構成になっている。
【００３２】
例えば、接地装置２２が「切り」の状態で、断路器２１が「入り」の状態を検出した場合、開閉制御部１８は、操作装置を収容する操作箱の操作箱扉をロックさせ、逆に接地装置２２が「入り」の状態で、断路器２１が「切り」の状態を検出した場合、開閉制御部１８は、操作箱扉を開放させ、操作装置を駆動できる構成になっている。
【００３３】
また、本実施形態に係るガス絶縁計器用変圧器２３は、自身の二次電圧を検出する二次電圧検出部２４を設け、二次電圧検出部２４で計測した計測二次電圧が定格二次電圧の、例えば５％以上を超えている場合、開閉制御部１８の指令で操作装置を収容する操作箱の操作箱扉をロックさせるとともに、計測二次電圧が定格二次電圧の、例えば５％未満の場合、操作箱扉を開放させる構成になっている。
【００３４】
このように、本実施形態は、ガス絶縁計器用変圧器２３に開閉制御部１８を設け、開閉制御部１８が同一母線区分内の断路器２１および接地装置２２のうち、断路器２１が「入り」の状態、接地装置２２が「切り」の状態を検出したとき、操作装置を収容する操作箱の操作箱扉をロックさせ、さらに接地装置２２が「入り」の状態で、断路器２１が「切り」の状態を検出したとき、操作箱扉を開放させ、操作装置を駆動できる構成にしたので、各機器の通電中から急に高圧側着脱接触可動部を切り離すことがなく、急な切離しによって発生する衝撃に基づく高圧側着脱接触可動部等の絶縁破壊を防止することができ、操作員の操作に伴う危険を防止することができる。
【００３５】
また、本実施形態は、ガス絶縁計器用変圧器２３に二次電圧検出部２４を設け、二次電圧検出部２４で検出した二次電圧が定格二次電圧の５％以上を超えたとき、操作装置を収容する操作箱の操作箱扉をロックさせ、定格二次電圧の５％未満のとき、操作箱扉を開放させ、操作装置を駆動できる構成にしたので、上述と同様に絶縁破壊を防止することができる。
【００３６】
図３は、本発明に係るガス絶縁計器用変圧器の第３実施形態を示す概念図である。
【００３７】
本実施形態に係るガス絶縁計器用変圧器は、操作箱１４に収容され、操作ハンドル２５を備えた操作装置１３にストッパ２６を設けるとともに、ストッパ２６が高圧側着脱接触可動部接続受信端子２７および高圧側着脱接触可動部切離し受信端子２８のうち、いずれかにＯＮしているとき、接地装置に「切り」の操作指令を出し、断路器２１に「入り」の操作指令を出し、ストッパ２６が各端子２７，２８の中間位置にあるとき、接地装置の「切り」、断路器の「入り」の操作指令を出さない操作指令部２９を設けたものである。
【００３８】
このように、本実施形態は、操作箱１４に収容され、操作ハンドル２５を備えた操作装置１３にストッパ２６を設けるとともに、ストッパ２６が高圧側着脱接触可動部接続受信端子２７および高圧側着脱接触可動部切離し受信端子２８のうち、いずれかにＯＮしているとき、接地装置に「切り」の操作指令を出し、断路器２１に「入り」の操作指令を出し、ストッパ２６が各端子２７，２８の中間位置にあるとき、接地装置の「切り」、断路器の「入り」の操作指令を出さない操作指令部２９を設けたので、急激な操作によって発生する衝撃に基づく各構成機器の絶縁破壊を防止することができ、操作員の操作に伴う危険を防止することができる。
【００３９】
【発明の効果】
以上の説明のとおり、本発明に係るガス絶縁計器用変圧器は、操作指令に基づいて高圧側着脱接触可動部の接続、切離しの操作を行わせる手段を備えたので、急な操作によって発生する衝撃に基づく各構成機器の絶縁破壊を防止することができ、操作員の操作に伴う危険を防止することができる。
【００４０】
また、本発明に係るガス絶縁計器用変圧器は、高圧側着脱接触可動部の接続、切離し状態のときにのみ、同一母線区分内の接地装置および断路器の「切り」、「入り」の操作をさせる手段を備えたので、急な操作によって発生する衝撃に基づく各構成機器の絶縁破壊を防止することができ、操作員の操作に伴う危険を防止することができる。
【図面の簡単な説明】
【図１】本発明に係るガス絶縁計器用変圧器の第１実施形態を示す概念図。
【図２】本発明に係るガス絶縁計器用変圧器をガス絶縁開閉装置に組み込んだ第２実施形態を示す概念図。
【図３】本発明に係るガス絶縁計器用変圧器の第３実施形態を示す概念図。
【図４】従来の三相形ガス絶縁計器用変圧器を示す概念図。
【符号の説明】
１  容器
２  電圧変成部
３  絶縁スペーサ
４  高圧導体
５  高電圧側端部
６  高圧端子
７  接触導体
８  操作装置
９  絶縁棒
１０  高圧側着脱接触可動部
１１  容器
１２  絶縁スペーサ
１３  操作装置
１４  操作箱
１５  蝶番
１６  操作箱扉
１７  錠
１８  開閉制御部
１９  遮断器
２０  変流器
２１  断路器
２２  接地装置
２３  ガス絶縁計器用変圧器
２４  二次電圧検出部
２５  操作ハンドル
２６  ストッパ
２７  高圧側着脱接触可動部接続受信端子
２８  高圧側着脱接触可動部切離し受信端子
２９  操作指令部
【図１】
2004273856.tif 000003
【図２】
2004273856.tif 000004
【図３】
2004273856.tif 000005
【図４】
2004273856.tif 000006